(57)【要約】        【課題】  簡易な構造で厚みの異なる天井材にも対応することのできる吊り金具を提供する。        【解決手段】  薄板状の天井材１１に外枠１０を吊り下げ保持させるときには、短尺側係合部４１と長尺側当接部５３とで薄板状の天井材１１を挟み込むことにより、外枠１０を吊り下げ支持可能とするとともに、薄板状の天井材１１よりも厚みのある厚板状の天井材１１に外枠１０を吊り下げ保持させるときには、長尺側係合部５１と短尺側当接部４３とで厚板状の天井材１１を挟み込むことにより、外枠１０を吊り下げ支持可能とした。    【選択図】    図１
2008297828.tif 000002
【特許請求の範囲】
【請求項１】
天井材の裏面に配置された取付部材に取り付けられ、天井材に開口した開口部の周囲に、前記開口部の外枠を吊り下げ支持する吊り金具において、
上記吊り金具は、
長手方向に途中で曲折された曲折部を境に、一方に伸びた短尺部と、他方に伸びた、前記短尺部よりも長く形成された長尺部とを備え、
前記短尺部には、
前記外枠に係合する短尺側係合部と、
前記取付部材の上面に当接する短尺側当接部とを備え、
前記長尺部には、
前記外枠に係合する長尺側係合部と、
前記取付部材の上面に当接する長尺側当接部とを備え、
薄板状の天井材に前記外枠を吊り下げ保持させるときには、
前記短尺側係合部と前記長尺側当接部とで前記薄板状の天井材を挟み込むことにより、前記外枠を吊り下げ支持可能とするとともに、
前記薄板状の天井材よりも厚みのある厚板状の天井材に前記外枠を吊り下げ保持させるときには、
前記長尺側係合部と前記短尺側当接部とで前記厚板状の天井材を挟み込むことにより、前記外枠を吊り下げ支持可能とすることを特徴とする吊り金具。
【請求項２】
前記長尺側当接部には、
前記取付部材への当接時に、前記前記取付部材の上面方向にネジをねじ込み可能な短尺側ネジ穴部を設け、
前記短尺側ネジ穴部に、前記ネジをねじ込むことにより、前記ネジと前記長尺側係合部とで前記天井材を挟み込み可能とし、
前記長尺側当接部には、
前記取付部材への当接時に、前記前記取付部材の上面方向にネジをねじ込み可能な長尺側ネジ穴部を設け、
前記長尺側ネジ穴部に、前記ネジをねじ込むことにより、前記ネジと前記短尺側係合部とで前記天井材を挟み込み可能とし、
前記短尺側ネジ穴部と前記長尺側ネジ穴部とは、共通のネジをねじ込み可能に形成したことを特徴とする請求項１記載の吊り金具。
【請求項３】
前記短尺側ネジ穴部は、前記短尺部をスライド移動可能に形成し、
前記長尺側ネジ穴部は、前記長尺部をスライド移動可能に形成したことを特徴とする請求項２記載の吊り金具。
【請求項４】
前記短尺部には、
前記短尺側係合部と前記外枠との係合時に、前記短尺側係合部とが前記外枠と離脱するのを防止する短尺側離脱防止部を設け、
前記長尺部には、
前記長尺側係合部と前記外枠との係合時に、前記長尺側係合部が前記外枠と離脱するのを防止する長尺側離脱防止部を設け
たことを特徴とする請求項２又は３記載の吊り金具。
【請求項５】
前記短尺側離脱防止部は、
前記短尺側ネジ穴部の前記スライド移動に伴いスライド移動することにより、前記短尺側係合部と前記外枠との離脱防止状態を解除可能とし、
前記長尺側離脱防止部は、
前記長尺側ネジ穴部の前記スライド移動に伴いスライド移動することにより、前記長尺側係合部と前記外枠との離脱防止状態を解除可能としたことを特徴とする請求項４記載の吊り金具。
【発明の詳細な説明】
【技術分野】
【０００１】
この発明は、天井材の開口部の外枠を吊り下げ支持するための吊り金具に関する。
【背景技術】
【０００２】
従来、天井材に設けた開口部に、外枠を固定する構造としては、天井の裏面側に前記開口部を囲うように配置された取付部材に対して、吊り金具を用いて外枠を吊り下げ支持するようにしたものが知られていた。
取付部材と天井材の下面との高さ方向の距離は、天井材の厚みに応じて種々変更されるため、吊り金具は、この天井材の厚みの相違に対応することが必要とされる。
【０００３】
このような天井材の厚みの相違に対応するための吊り金具としては、天井点検口の外枠に対して取り付けられ、上下方向に伸びるスライド孔に沿ってスライドする第１部材と、前記取付部材に固定される第２部材とを備え、前記第１部材と前記第２部材とを、前記スライド孔に挿入された取付ネジで締結したものが知られている。
【特許文献１】特開平１１−９３３９４号公報
【発明の開示】
【発明が解決しようとする課題】
【０００４】
しかし、上記した従来の吊り金具では、天井材の厚みの相違に対応するために、スライド孔に沿って取付ネジを上下方向にスライドさせ、前記スライド孔に対する前記取付ネジの位置を変更してから、吊り金具の第１部材と第２部材とを前記取付ネジで締結するので、調整が容易ではなく、また、内蓋を組み込んだ外枠の重量に対してスライド孔に締結した取付ネジが耐えられなくなって、前記開口部に対する外枠の位置がずれてしまい易いといった問題点があった。
【０００５】
そこで、各請求項にそれぞれ記載された各発明は、上記した従来の技術の有する問題点に鑑みてなされたものであり、その目的とするところは、次の点にある。
（請求項１）
すなわち、請求項１記載の発明は、次の点を目的とする。
請求項１記載の発明によれば、簡易な構造で厚みの異なる天井材にも対応することのできる吊り金具を提供しようとするものである。
（請求項２）
請求項２記載の発明は、上記した請求項１記載の発明の目的に加え、次の点を目的とする。
【０００６】
すなわち、請求項２記載の発明によれば、厚みの異なる天井材に吊り下げ支持する際の微調整をネジのねじ込み量を加減することで可能とするとともに、長尺側ネジ穴部又は短尺側ネジ穴部のうち、天井材の厚みに対応させるために、外枠の吊り下げに用いない長尺側ネジ穴部又は短尺側ネジ穴部には、ねじ込まれて取付部材に当接するべきネジを必要としないので、このネジを共通利用することができる吊り金具を提供しようとするものである。
（請求項３）
請求項３記載の発明は、上記した請求項２記載の発明の目的に加え、次の点を目的とする。
【０００７】
すなわち、請求項３記載の発明によれば、短尺側ネジ穴部及び長尺側ネジ穴部をそれぞれスライド移動可能とすることにより、取付部材の厚みや形状等に対応することができる吊り金具を提供しようとするものである。
（請求項４）
請求項４記載の発明によれば、上記した請求項２又は請求項３記載の発明の目的に加え、次の点を目的とする。
【０００８】
すなわち、請求項４記載の吊り金具によれば、短尺側離脱防止部及び長尺側離脱防止部によって、外枠との係合が容易に解除しない吊り金具を提供しようとするものである。
（請求項５）
請求項５記載の発明によれば、上記した請求項４記載の発明の目的に加え、次の点を目的とする。
【０００９】
すなわち、請求項５記載の発明によれば、短尺側ネジ穴部及び長尺側ネジ穴部のスライド移動を利用して、前記外枠との離脱防止状態を解除可能として、両ネジ穴部の微調整と離脱防止状態の解除を同じスライド移動を利用して実現可能とすることにより、簡易で無駄のない機構の吊り金具を提供しようとするものである。
【課題を解決するための手段】
【００１０】
各請求項にそれぞれ記載された各発明は、上記した各目的を達成するためになされたものであり、各発明の特徴点を図面に示した発明の実施の形態を用いて、以下に説明する。
なお、カッコ内の符号は、発明の実施の形態において用いた符号を示し、本発明の技術的範囲を限定するものではない。
また、図面番号も、発明の実施の形態において用いた図番を示し、本発明の技術的範囲を限定するものではない。
（請求項１）
請求項１記載の発明は、次の点を特徴とする。
第１に、吊り金具(20)は、天井材(11)の裏面に配置された取付部材に取り付けられ、天井材(11)に開口した開口(60)の周囲に、外枠(10)を吊り下げ支持するためのものである。
【００１１】
取付部材は、例えば野縁(63)などと称され、天井材(11)を取り付けるためのものである。
開口(60)は、天井裏のメンテナンスや工事を行うための開口であって、例えば点検口などと称される。
第２に、吊り金具は、次のものを備えている。
【００１２】
（１）短尺部(40)
短尺部(40)は、長手方向に途中で曲折された曲折部(30)を境に、一方に伸びたものである。
（２）長尺部(50)
長尺部(50)は、長手方向に途中で曲折された曲折部(30)を境に、他方に伸びた、短尺部(40)よりも長く形成されたものである。
第３に、短尺部(40)には、次の構成を備えている。
【００１３】
（３）短尺側係合部（例えば一対のスリット41）
短尺側係合部（例えば一対のスリット41）は、外枠(10)に係合するためのものである。
（４）短尺側当接部（例えばスライド部材43）
短尺側当接部（例えばスライド部材43）は、取付部材の上面に当接するためのものである。
第４に、長尺部(50)には、次の構成を備えている。
【００１４】
（６）長尺側係合部（例えば一対のスリット51）
長尺側係合部（例えば一対のスリット51）は、外枠(10)に係合するためのものである。
（７）長尺側当接部（例えばスライド部材53）
長尺側当接部（例えばスライド部材53）は、取付部材（例えば野縁63）の上面に当接するためのものである。
【００１５】
第５に、短尺側係合部（例えば一対のスリット41）と長尺側当接部（例えばスライド部材53）とは、薄板状の天井材11に外枠(10)を吊り下げ保持させるときには、薄板状の天井材11を挟み込むことにより、外枠(10)を吊り下げ支持可能とするためのものである。
第６に、長尺側係合部（例えば一対のスリット51）と短尺側当接部（例えばスライド部材43）とは、薄板状の天井材11よりも厚みのある厚板状の天井材11に外枠(10)を吊り下げ保持させるときには、厚板状の天井材11を挟み込むことにより、外枠(10)を吊り下げ支持可能とするためのものである。
（請求項２）
請求項２記載の発明は、上記した請求項１記載の発明の特徴点に加え、次の点を特徴とする。
【００１６】
第１に、長尺側当接部（例えばスライド部材53）には、取付部材（例えば野縁63）への当接時に、取付部材（例えば野縁63）の上面方向にネジをねじ込み可能な短尺側ネジ穴部(44)を設け、短尺側ネジ穴部(44)に、ネジをねじ込むことにより、ネジと長尺側係合部（例えば一対のスリット51）とで天井材11を挟み込み可能としている。
第２に、長尺側当接部（例えばスライド部材53）には、取付部材（例えば野縁63）への当接時に、取付部材（例えば野縁63）の上面方向にネジをねじ込み可能な長尺側ネジ穴部(54)を設け、長尺側ネジ穴部(54)に、ネジをねじ込むことにより、ネジと短尺側係合部（例えば一対のスリット41）とで天井材11を挟み込み可能としている。
【００１７】
第３に、短尺側ネジ穴部(44)と長尺側ネジ穴部(54)とは、共通のネジ(57)をねじ込み可能に形成した。
（請求項３）
請求項３記載の発明は、上記した請求項２記載の特徴点に加え、次の点を特徴とする。
第１に、短尺側ネジ穴部は、短尺部(40)をスライド移動可能に形成した。
【００１８】
第２に、長尺側ネジ穴部は、長尺部(50)をスライド移動可能に形成した。
（請求項４）
請求項４記載の発明は、上記した請求項２又は請求項３記載の特徴点に加え、次の点を特徴とする。
第１に、短尺部(40)には、短尺側係合部（例えば一対のスリット41）と外枠(10)との係合時に、短尺側係合部（例えば一対のスリット41）とが外枠(10)と離脱するのを防止する短尺側離脱防止部（例えば舌片45）を設けた。
【００１９】
第２に、長尺部(50)には、長尺側係合部（例えば一対のスリット51）と外枠(10)との係合時に、長尺側係合部（例えば一対のスリット51）が外枠(10)と離脱するのを防止する長尺側離脱防止部（例えば舌片55）を設けた。
（請求項５）
請求項５記載の発明は、上記した請求項４記載の特徴点に加え、次の点を特徴とする。
【００２０】
第１に、短尺側離脱防止部（例えば舌片45）は、短尺側ネジ穴部(44)のスライド移動に伴いスライド移動することにより、短尺側係合部（例えば一対のスリット41）と外枠(10)との離脱防止状態を解除可能とした。
第２に、長尺側離脱防止部（例えば舌片55）は、長尺側ネジ穴部(54)のスライド移動に伴いスライド移動することにより、長尺側係合部（例えば一対のスリット51）と外枠(10)との離脱防止状態を解除可能とした。
【発明の効果】
【００２１】
本発明は、以上のように構成されているので、以下に記載されるような効果を奏する。
（請求項１）
請求項１記載の発明によれば、簡易な構造で厚みの異なる天井材にも対応することのできる吊り金具を提供することができる。
（請求項２）
請求項２記載の発明によれば、上記した請求項１記載の発明の効果に加え、厚みの異なる天井材に吊り下げ支持する際の微調整をネジのねじ込み量を加減することで可能とするとともに、長尺側ネジ穴部又は短尺側ネジ穴部のうち、天井材の厚みに対応させるために、外枠の吊り下げに用いない長尺側ネジ穴部又は短尺側ネジ穴部には、ねじ込まれて取付部材に当接するべきネジを必要としないので、ネジを共通利用することができる吊り金具を提供することができる。
（請求項３）
請求項３記載の発明によれば、上記した請求項２記載の発明の効果に加え、短尺側ネジ穴部及び長尺側ネジ穴部をそれぞれスライド移動可能とすることにより、取付部材の厚みや形状等に対応することができる吊り金具を提供することができる。
（請求項４）
請求項４記載の発明によれば、上記した請求項２又は３記載の発明の効果に加え、短尺側離脱防止部及び長尺側離脱防止部によって、外枠との係合が容易に解除しない吊り金具を提供することができる。
（請求項５）
請求項５記載の発明によれば、請求項４記載の発明の効果に加え、短尺側ネジ穴部及び長尺側ネジ穴部のスライド移動を利用して、外枠との離脱防止状態を解除可能として、両ネジ穴部の微調整と離脱防止状態の解除を同じスライド移動を利用して実現可能とすることにより、簡易で無駄のない機構の吊り金具を提供することができる。
【発明を実施するための最良の形態】
【００２２】
（図面の説明）
図１〜８は、本発明の実施の形態の一例をそれぞれ示すものである。
図１は、吊り金具と外枠の一部とを表した斜視図、図２は吊り金具の斜視図、図３短尺部の正面図、図４は舌片を突き出した状態を示す短尺部の正面図、図５はネジをねじ込んだ状態の長尺部の正面図、図６は舌片を突き出した状態を示す長尺部の正面図、図７は短尺部と外枠とを係合させて天井材に吊り下げた状態を示す断面図、図８は長尺部と外枠とを係合させて天井材に吊り下げた状態を示す断面図を各々示す。
【００２３】
以下、本発明を実施するための最良の形態を説明する。
（外枠）
図１中、10は、外枠の一部を示すものである。外枠10は、図には示さないが、方形状に枠組みされて、天井に形成された開口の開口縁を覆うように設置されるものである。
外枠10は、その上部位置に、水平方向に帯状に形成された板状部12と、板状部12の下位置であって、略Ｓ字状の最初の凹みに相当する部分に形成された第一凹溝13と、第一凹溝13の下方に連続して設けられ、第一凹溝13とは逆方向に向けて形成された第二凹溝14と、第二凹溝14の下端に形成された、水平方向に帯状に形成された底板状部15とを備える。
【００２４】
そして、外枠10の板状部12には、自由端側を開放することにより方形状に切り欠いた切り欠き部16を設けている。
また、外枠10は、図１に示すように、天井材11側の開口縁を覆うように設置され、開口を塞ぐ内蓋（図７及び図８参照）側の縁を覆う内枠（図７及び図８参照）と対向するように吊り下げられる。
（吊り金具10）
また、図１中、20は、吊り金具を示すものである。
【００２５】
吊り金具20は、天井材11に形成された開口に設けられた天井点検口（図７及び図８参照）において、外枠10を、天井材11を取り付ける取付部材（図７及び図８参照）に対して吊り下げ支持するために用いられる。
吊り金具20は、図１及び図２に示すように、板状材を直角状に曲折して曲折部30を形成することにより、断面形状が略Ｌ字型をなしている。
【００２６】
吊り金具20は、図１及び図２に示すように、長さ方向の途中に形成された曲折部30を境に、Ｌ字型の短辺に相当する短尺部40と、短尺部40とは逆方向に伸びるとともに、短尺部40よりも長く形成され、Ｌ字型の長辺に相当する長尺部50とを備える。
（短尺部40）
短尺部40は、その幅を、外枠10の切り欠き部16の開口の幅よりも大きく形成している。
【００２７】
短尺部40には、図１及び図３に示すように、曲折部30と自由端との間であって、やや自由端よりに、短尺部40の両側から中央に向かって対向する方向に途中まで切り込むことによって形成した短尺側係合部としての一対のスリット41を設けている。
一対のスリット41は、それぞれのスリット41幅を、外枠10の板状部12の厚みに対応させ、その対向間隔を、外枠10の切り欠き部16の開口の幅よりも狭く形成している。
【００２８】
したがって、短尺部40の一対のスリット41から下の部分を、外枠10の第一凹溝13に位置させて、切り欠き部16の開口からはめ込むと、一対のスリット41の各々に、切り欠き部16から板状部12が挿入され、外枠10と吊り金具20とが、上下方向に離脱不能に係合することが可能となる。この状態では、短尺部40を開口方向に抜き出さない限り、短尺部40と外枠10との係合を解消することはできない。
【００２９】
また、短尺部40には、図１及び図３に示すように、曲折部30と短尺部40側の自由端との間に、長さ方向に伸びた長穴42が形成されている。
また、短尺部40には、図１〜図４に示すように、長尺部50側の面を覆うとともに、両側を抱き込むように形成された当接部としてのスライド部材43を設けている。
スライド部材43は、後述するように、長尺部50と外枠10とが係合する際には、後述する取付部材の上面に当接するように位置する。
【００３０】
また、スライド部材43は、取付部材の上面の適切な位置に当接するように、図３及び図４に示すように、短尺部40側の自由端と曲折部30との間を、抱き込んだ両側に沿ってスライドするように形成されている。
また、スライド部材43には、図１〜図３に示すように、長穴42と対応する位置に、ネジをねじ込み可能な短尺側ネジ穴部44を設けている。
【００３１】
そして、図には示さないが、長穴42側から短尺側ネジ穴部44にねじ込まれたネジが長穴42を貫通した状態で、スライド部材43のスライドに伴って、スライド可能となる。
したがって、スライド部材43をスライドさせて、取付部材の位置に対応させたり、当接するに適した上面の位置に対応させることができる。
また、スライド部材43の下端には、図２及び図４に示すように、短尺部40の自由端方向へ帯状に伸びる短尺側離脱防止部としての舌片45が設けられている。
【００３２】
舌片45は、短尺部40が外枠10へ係合したときに、スライド部材43が重力に従って外枠10方向にスライド移動して、外枠10の第一凹溝13の裏面側に位置し、短尺部40と舌片45とで外枠10の第一凹溝13の底を挟み込むことにより、短尺部40が開口方向に離脱するのを防止するものである。
したがって、吊り金具20によって外枠10を天井材11に吊り下げるときには、短尺部40は、その長手方向を垂直方向に向けて配置されることから、スライド部材43は重力に従って垂直方向の端部に移動することとなり、短尺部40と舌片45とで外枠10の第一凹溝13の底を挟み込んだ状態が自然に形成されているので、吊り金具20によって外枠10を天井材11に吊り下げた状態であれば、舌片45が移動して、短尺部40と舌片45とで外枠10の第一凹溝13の底を挟み込んだ状態が不用意に解除されることはない。
【００３３】
また、短尺部40の自由端側の先端の両側の角には、図２に示すように、長尺部50と面する方向へ織り込むことにより突出した折り込み部46が形成されている。折り込み部46は、スライド部材43がスライド移動する際に、スライド部材43の端部が当接することで、短尺部40のスライド部材43が先端方向へスライドして自由端から抜け落ちるのを防止している。
【００３４】
なお、短尺部40と外枠10との係合を解消するには、スライド部材43を上方にスライド移動させて、短尺部40と舌片45とで外枠10の第一凹溝13の底を挟み込んだ状態を解消することにより、短尺部40を、外枠10の開口方向へ移動させればよい。
（長尺部50）
長尺部50は、その幅を、外枠10の切り欠き部16の開口の幅よりも大きく形成している。
【００３５】
短尺部40には、図１、図２及び図５に示すように、曲折部30と自由端との間であって、やや自由端よりに、長尺部50の両側から中央に向かって対向する方向に途中まで切り込むことにより形成した長尺側係合部としての一対のスリット51を設けている。
一対のスリット51は、それぞれのスリット51幅を、外枠10の板状部12の厚みに対応させ、その対向間隔を、外枠10の切り欠き部16の開口の幅よりも狭く形成している。
【００３６】
したがって、長尺部50の一対のスリット51から下の部分を、外枠10の第１凹溝に位置させて、切り欠き部16の開口からはめ込むと、一対のスリット51の各々に、切り欠き部16から板状部12が挿入され、外枠10と吊り金具20とが、上下方向に離脱不能に係合することが可能となる。この状態では、長尺部50を開口方向に抜き出さない限り、長尺部50と外枠10との係合を解消することはできない。
【００３７】
また、長尺部50には、図１、図５及び図６に示すように、曲折部30と長尺部50側の自由端との間に、長さ方向に伸びた長穴42が形成されている。
また、長尺部50には、図１、図２、図５及び図６に示すように、短尺部40側の面を覆うとともに、両側を抱き込むように形成されたスライド部材53を設けている。
スライド部材53は、後述するように、短尺部40と外枠10とが係合する際には、取付部材の上面に当接するように位置する。
【００３８】
したがって、スライド部材53をスライドさせて、取付部材の位置に対応させたり、当接するに適した上面の位置に対応させることができる。
また、スライド部材53は、取付部材の上面の適切な位置に当接するように、図３及び図４に示すように、長尺部50側の自由端と曲折部30との間を、抱き込んだ両側に沿ってスライドするように形成されている。
【００３９】
また、スライド部材53には、図１及び図２に示すように、長穴52と対応する位置に、ネジをねじ込み可能な長尺側ネジ穴部54を設け、長尺側ネジ穴部54に、ネジ57がねじ込まれている。
そして、長穴部50側から長尺側ネジ穴部54にねじ込まれたネジ57が長穴52を貫通した状態で、スライド部材53のスライドに伴って、ねじ込まれたネジ57も長穴に沿ってスライド可能となる。
【００４０】
また、スライド部材53の下端には、図２及び図６に示すように、長尺部50の自由端方向へ帯状に伸びる長尺側離脱防止部としての舌片55が設けられている。
舌片55は、長尺部50が外枠10へ係合したときに、スライド部材53が重力に従って外枠10方向にスライド移動して、外枠10の第一凹溝13の裏面側に位置し、長尺部50と舌片55とで外枠10の第一凹溝13の底を挟み込むことにより、短尺部40が開口方向に離脱するのを防止するものである。
【００４１】
したがって、吊り金具20によって外枠10を天井材11に吊り下げるときには、長尺部50は、その長手方向を垂直方向に向けて配置されることから、スライド部材53は重力に従って垂直方向の端部に移動することとなり、長尺部50と舌片55とで外枠10の第一凹溝13の底を挟み込んだ状態が自然に形成されているので、吊り金具20によって外枠10を天井材11に吊り下げた状態であれば、舌片55が移動して、長尺部50と舌片とで外枠10の第一凹溝13の底を挟み込んだ状態が不用意に解除されることはない。
【００４２】
また、長尺部50の自由端側の先端の両側の角には、図２に示すように、短尺部40と面する方向へ織り込むことにより突出した折り込み部56が形成されている。折り込み部56は、スライド部材53がスライド移動する際に、スライド部材53の端部が当接することで、長尺部50のスライド部材53が先端方向へスライドして自由端から抜け落ちるのを防止している。
【００４３】
なお、長尺部50と外枠10との係合を解消するには、スライド部材53を上方にスライド移動させて、長尺部50と舌片45とで外枠10の第一凹溝13の底を挟み込んだ状態を解消することにより、長尺部50を、外枠10の開口方向へ移動させればよい。
（外枠の吊り下げ支持）
つぎに、上記構成を備えた吊り金具20による、厚みの異なる２種類の天井への外枠10の吊り下げ支持を、図７及び図８を用いて、説明する。
（短尺部40と外枠との係合）
図７中、天井材11であって、天井材11には、任意の位置に開口60が設けられ、開口60には、内蓋61が設置され、内蓋61の縁には、内枠62が設けられている。
【００４４】
また、天井材11には、裏面側であって、開口の縁に、取付部材としての野縁63が設置されている。野縁63は、天井材を取り付けるためのものである。
短尺部40は、図７に示すように、一対のスリット41を、外枠10の板状部12に挿入することにより外枠10と係合し、長尺部50のスライド部材は、野縁の上面に位置している。
この状態で、長尺部50の長尺側ネジ穴部にネジをねじ込むことによって、ネジは、野縁63の上面方向に進行する。野縁63は、天井材11の裏面に固定されているので、ネジの進行によって、長尺部50は、野縁63の上面とは逆方向に移動しようとする。
【００４５】
長尺部50と一体の短尺部40は、長尺部50の移動に伴って移動しようとするが、短尺部40は、図７に示すように、外枠10に係合しており、外枠10は、底板状部15の底面が天井材11の表面側に引っかかった状態にあるので、吊り金具20で、天井材11と野縁63とを挟み込んで、外枠10を天井材11に吊り下げ固定することができる。
そして、長尺側ネジ穴部54にねじ込むネジ57のネジ込み量を調整することで、ネジ57のねじ込み量の変化が可能な範囲で、天井材11の厚みや野縁の太さの相違に対応することができる。
（長尺部50と外枠との係合）
しかし、天井材11の厚みや野縁の太さがネジ57のねじ込み量の変化の範囲を越えるときには、ネジ57のねじ込み量を変えることでは調整することができないので、次に説明するように、長尺部50と外枠10とを係合させることにより、枠10を天井材11に吊り下げ固定する。
【００４６】
図８中、天井材11であって、天井材11は、図７で説明した天井材11よりも厚く形成されている。
そして、天井材11には、図７の天井材11と同様に、任意の位置に開口が設けられ、開口には、内蓋が設置され、内蓋の縁には、内枠が設けられている。
天井材11の厚みや野縁の太さがネジのねじ込み量の変化の範囲を越えるときには、長尺部50は、短尺部40よりも曲折部30からの距離が長いので、短尺部40で外枠10を吊り下げるときよりも、厚い天井材11や太い野縁であっても、天井に外枠10を吊り下げることができる。
【００４７】
すなわち、図７の説明とは逆に、長尺部50を、図８に示すように、一対のスリット51を、外枠10の板状部12に挿入することにより外枠10と係合させ、短尺部40のスライド部材43は、野縁63の上面に位置させる。
この状態で、先ほど長尺側ネジ穴部54から外したネジ57を、短尺側ネジ穴部44にねじ込む。ネジ57をねじ込むことによって、ネジ57は野縁63の上面方向に進行する。野縁63は、天井材11の裏面に固定されているので、ネジ57の進行によって、短尺部40は、野縁63の上面とは逆方向に移動しようとする。
【００４８】
短尺部40と一体の長尺部50は、短尺部40の移動に伴って移動しようとするが、長尺部50は、図８に示すように、外枠10に係合しており、外枠10は、底板状部15の底面が天井材11の表面側に引っかかった状態にあるので、吊り金具20で、天井材11と野縁を挟み込んで、外枠10を天井材11に吊り下げ固定することができる。
そして、短尺側ネジ穴部44にネジ57をネジ込み量を調整することで、図７の説明と同じように、ネジ57のねじ込み量の変化が可能な範囲で、天井材11の厚みや野縁の太さの相違に対応することができる。
【００４９】
このように、天井材11の厚みや野縁の太さがネジのねじ込み量の変化の範囲を越えるときには、長尺部50と短尺部40とを、当接部（例えばスライド部材43,53）又は係合部（例えばスリット41,51）の役割を交替することで、対応することができるから、天井材11の厚みや野縁の太さの相違に対応するために、複数種類の吊り金具20を用意する必要がない。
【００５０】
また、短尺部40又は長尺部50の当接部（スライド部材43,53）のいずれか一方が野縁63の上面と当接しているときには、短尺部40又は長尺部50の当接部（スライド部材43,53）のいずれか他方は、外枠10と係合しているので、他方の当接部（スライド部材43,53）のネジ穴部(44,54)にネジをねじ込む必要がない。このため、ネジ穴部(44,54)は２箇所あるが、ネジをねじ込む必要があるネジ穴部(44,54)は、１カ所であるので、ネジを一つ節約することができる。
【００５１】
さらに、本実施の形態の吊り金具20は、外枠10を天井の例えば野縁63に直接ネジ止め固定することなく、吊り下げ支持していることから、ネジ止めのための位置決めの技能などを必要とせず、専門的な技能を有する者でなくとも、外枠10を取り付けたり、取り外したりの脱着作業が可能となる。
また、外枠10を野縁63に直接ネジ止め固定するために、例えば野縁63に形成したネジ穴にネジをねじ込むことにより外枠を天井材11に固定しようとすると、ネジ穴の中心にネジを正しくねじ込むことは簡単ではなく、外枠11を正しい位置に取り付けることができずに、天井材、外枠10や内蓋61との間に隙間が生じたり、外枠10が歪むなどのおそれがあった。
【００５２】
しかし、本実施の形態の吊り金具20では、外枠10を天井材11の野縁63に対して吊り下げ支持しており、外枠10を野縁63のネジ穴を介して天井材11に直接固定することをしていないので、ネジ穴に適切にねじ込む作業を要することがなく、位置決めが容易で、天井材11、外枠20や内蓋61との間に不必要な隙間が生じたり、外枠10が歪むなどのおそれがない。
また、本実施の形態の吊り金具20では、外枠10を天井材11の野縁63に直接ネジ止め固定していないので、天井材11に対する外枠10の取付に確実性がある。
【００５３】
すなわち、天井の野縁63が、例えば木材や軽量鉄骨であるときには、外枠10の着脱を繰り返すと、ネジのねじ込みと抜き出しとを繰り返すことによって、例えば野縁63のねじ山が崩れることもあり、外枠11を野縁63に保持している保持力の低下を招きかねない。
しかし、本実施の形態の吊り金具20では、外枠10を天井材11に吊り下げ支持しているので、ねじ山の崩れなどによる保持力の低下を来すことがない。
【図面の簡単な説明】
【００５４】
【図１】吊り金具と外枠の一部とを表した斜視図である。
【図２】吊り金具の斜視図である。
【図３】短尺部の正面図である。
【図４】舌片を突き出した状態を示す短尺部の正面図である。
【図５】ネジをねじ込んだ状態の長尺部の正面図である。
【図６】舌片を突き出した状態を示す長尺部の正面図である。
【図７】短尺部と外枠とを係合させて天井材に吊り下げた状態を示す断面図である。
【図８】長尺部と外枠とを係合させて天井材に吊り下げた状態を示す断面図である。
【符号の説明】
【００５５】
10  外枠                11  天井材
12  板状部              13  第一凹溝
14  第二凹溝            15  底板状部
16  切り欠き部
20  吊り金具
30  曲折部
40  短尺部              41  スリット
42  長穴                43  スライド部材
44  短尺側ネジ穴部      45  舌片
46  折り込み部
50  長尺部              51  スリット
52  長穴                53  スライド部材
54  長尺側ネジ穴部      55  舌片
56  折り込み部          57  ネジ
60  開口                61  内蓋
62  内枠                63  野縁
【図１】
2008297828.tif 000003
【図２】
2008297828.tif 000004
【図３】
2008297828.tif 000005
【図４】
2008297828.tif 000006
【図５】
2008297828.tif 000007
【図６】
2008297828.tif 000008
【図７】
2008297828.tif 000009
【図８】
2008297828.tif 000010